(57)【特許請求の範囲】
【請求項１】
画像データと、当該画像データにより表示される画像に表わされている事象を文章で説明する文章データと、前記文章に含まれる重要語句を示すデータとを取得するデータ取得手段と、
前記データ取得手段により取得された画像データに基づく画像を表示する画像表示手段と、
前記データ取得手段により取得された文章データに対応する音声データを、前記重要語句を示すデータに基づいて当該重要語句を強調して再生する音声再生手段と、
を備え、
前記音声再生手段は、前記データ取得手段により取得された文章データに対応する音声データを繰り返し再生する繰り返し再生手段を有し、当該繰り返し再生手段による繰り返しの再生回数に応じた強調度合いで前記重要語句を強調して再生する、
ことを特徴とする学習支援装置。
【請求項２】
前記データ取得手段は、前記文章データとして、前記画像に表わされている事象を正しく説明する文章データと誤って説明する文章データとを混在して複数取得する、
ことを特徴とする請求項１に記載の学習支援装置。
【請求項３】
前記音声再生手段は、前記繰り返し再生手段による繰り返しの再生回数に応じて次第に大きく定められる強調度合いで前記重要語句を強調して再生する、
ことを特徴とする請求項１または請求項２に記載の学習支援装置。
【請求項４】
画像データと、当該画像データにより表示される画像に表わされている事象を正しく説明する文章データと誤って説明する文章データと、前記文章データに含まれる重要語句を示すデータとを取得するデータ取得手段と、
前記データ取得手段により取得された画像データに基づく画像を表示する画像表示手段と、
前記データ取得手段により取得された文章データに対応する音声データを、前記重要語句を示すデータに基づいて当該重要語句を強調して再生する音声再生手段と、
を備えたことを特徴とする学習支援装置。
【請求項５】
電子機器のコンピュータを、
画像データと、当該画像データにより表示される画像に表わされている事象を文章で説明する文章データと、当該文章に含まれる重要語句を示すデータとを取得するデータ取得手段と、
前記データ取得手段により取得された画像データに基づいて画像を表示する画像表示手段と、
前記データ取得手段により取得された文章データに対応する音声データを繰り返し再生する繰り返し再生手段を有し、前記データ取得手段により取得された文章データに対応する音声データを、前記重要語句を示すデータに基づいて当該重要語句は強調し、且つ当該繰り返し再生手段による繰り返しの再生回数に応じた強調度合いで前記重要語句を強調して再生する音声再生手段、
として機能させるためのコンピュータ読み込み可能なプログラム。
【発明の詳細な説明】
【技術分野】
【０００１】
本発明は、例えば外国語のリスニングを学習するのに好適な学習支援装置およびその制御プログラムに関する。
【背景技術】
【０００２】
従来から、外国語を学習して正しく話せるようになるには、読み書きだけでなくリスニング能力を向上させることが重要であり、以下に記載するような学習支援システムや方法が利用されている。
【０００３】
学生のリスニング能力を測定し、その測定の結果に基づいて、学生に対し弱点対策を付した教材を作成し提供して演習を行なわせる語学学習システムが考えられている（例えば、特許文献１参照。）。
【０００４】
外国語文の音声再生の速度をユーザ操作により変化させてユーザのリスニング能力を向上させる英語リスニング法が考えられている（例えば、特許文献２参照。）。
【先行技術文献】
【特許文献】
【０００５】
【特許文献１】特開２００５−２５０４２３号公報
【特許文献２】特開２０１２−２２０９４４号公報
【発明の概要】
【発明が解決しようとする課題】
【０００６】
画像に表わされている事象を説明する文章の音声を再生してリスニングさせるものにおいて、より早く効果的にリスニング能力を向上させることが望まれる。
【０００７】
本発明は、このような課題に鑑みなされたもので、ユーザのリスニング能力をより早く効果的に向上させることが可能になる学習支援装置およびその制御プログラムを提供することを目的とする。
【課題を解決するための手段】
【０００８】
本発明に係る学習支援装置は、画像データと、当該画像データにより表示される画像に表わされている事象を文章で説明する文章データと、前記文章に含まれる重要語句を示すデータとを取得するデータ取得手段と、前記データ取得手段により取得された画像データに基づく画像を表示する画像表示手段と、前記データ取得手段により取得された文章データに対応する音声データを、前記重要語句を示すデータに基づいて当該重要語句を強調して再生する音声再生手段と、を備え、前記音声再生手段は、前記データ取得手段により取得された文章データに対応する音声データを繰り返し再生する繰り返し再生手段を有し、当該繰り返し再生手段による繰り返しの再生回数に応じた強調度合いで前記重要語句を強調して再生することを特徴としている。
【発明の効果】
【０００９】
本発明によれば、ユーザのリスニング能力をより早く効果的に向上させることが可能になる。
【図面の簡単な説明】
【００１０】
【図１】本発明の学習支援装置の実施形態に係る学習支援システムの外観構成を示す図。
【図２】前記学習支援システムにおける学習端末１０の電子回路の構成を示すブロック図。
【図３】前記学習端末１０の学習問題データエリア１２ｂに記憶される学習問題の１問分のデータ構造を示す図。
【図４】前記学習問題データエリア１２ｂに記憶される学習問題１問分のデータの具体例を示す図。
【図５】前記学習支援システムの学習端末１０による制御処理と学習サーバ２０による制御処理とを示すフローチャート。
【図６】前記学習サーバ２０の学習問題データベース２０ＤＢに記憶されている各種の学習問題からユーザの学力レベルに応じた学習問題を選択的に生成するための具体例を示す図。
【図７】前記学習端末１０の制御処理に伴う音声再生処理（ＳＰ）の一実施例を示すフローチャート。
【図８】前記学習端末１０の制御処理に従った学習問題の画像表示動作に伴う音声再生動作の一実施例を示す図。
【図９】前記学習端末１０の制御処理における問題表示処理（ステップＳ６〜Ｓ１２）の他の実施形態を示すフローチャート。
【発明を実施するための形態】
【００１１】
以下図面により本発明の実施の形態について説明する。
【００１２】
図１は、本発明の学習支援装置の実施形態に係る学習支援システムの外観構成を示す図である。
【００１３】
本実施形態の学習支援システムは、ユーザが操作する学習端末１０と、当該学習端末１０とインターネットなどの通信ネットワークＮを介して接続される学習サーバ２０とから構成される。
【００１４】
前記学習端末１０は、タブレット端末などの携帯端末あるいはパソコンからなり、外部からインストールされたプログラム、あるいは予め記憶されたプログラムに従って動作することで前記学習支援システムの端末１０として機能する。
【００１５】
前記学習サーバ２０は、前記学習端末１０からのユーザの語学力のレベルチェックテストの結果を含む学習問題の生成依頼に応じて、当該ユーザの語学力のレベルに基づいた学習問題を生成し前記学習端末１０へ提供する。
【００１６】
図２は、前記学習支援システムにおける学習端末１０の電子回路の構成を示すブロック図である。
【００１７】
前記学習端末１０は、コンピュータである制御装置（ＣＰＵ）１１を備えている。
【００１８】
前記ＣＰＵ１１は、フラッシュＲＯＭなどの記憶装置１２に記憶された端末制御プログラム１２ａに従って回路各部の動作を制御する。
【００１９】
前記端末制御プログラム１２ａは、前記記憶装置１２に予め記憶されるか、光ディスクやメモリカードなどの外部記録媒体１３から記録媒体読み取り部１４により読み込まれて前記記憶装置１２に記憶されるか、前記通信ネットワークＮ上のＷｅｂサーバ（ここではプログラムサーバ）２０から通信部１５によりダウンロードされて前記記憶装置１２に記憶される。
【００２０】
前記端末制御プログラム１２ａとしては、本学習端末１０の全体の動作を司るシステムプログラム、ユーザ操作に応じて前記学習サーバ２０から学習問題を取得し、当該学習問題に応じた表示の制御および音声再生の制御を行なうための学習支援プログラムなどが記憶される。
【００２１】
前記記憶装置１２にはまた、前記学習サーバ２０から取得された学習問題のデータが記憶される学習問題データエリア１２ｂが確保される。
【００２２】
前記端末制御プログラム１２ａは、キー操作部１７からのキー入力信号、タッチパネル付き表示部１８からのタッチ操作に応じた入力信号、前記通信部１５を介して受信される前記学習サーバ２０などの外部機器からの通信信号に応じて起動される。
【００２３】
ＲＡＭ１６は、前記ＣＰＵ１１による回路各部の動作の制御に伴う各種データの作業用メモリとして機能し、前記タッチパネル付き表示部１８の液晶表示部に表示させる表示データが描画されて記憶される表示データエリア１６ａなどが確保される。
【００２４】
このように、前記ＣＰＵ１１には、前記記憶装置１２、記録媒体読み取り部１４、通信部１５、ＲＡＭ１６、キー操作部１７、タッチパネル付き表示部１８が接続される他に、当該ＣＰＵ１１により生成された音声や再生された音声を出力するための音声出力部１９が接続される。
【００２５】
図３は、前記学習端末１０の学習問題データエリア１２ｂに記憶される学習問題の１問分のデータ構造を示す図である。
【００２６】
図４は、前記学習問題データエリア１２ｂに記憶される学習問題１問分のデータの具体例を示す図である。
【００２７】
前記学習問題は、写真や絵からなる画像データＧと、当該画像データＧに含まれる物，人などに関する事象を説明する複数の文章データＢｍ（ここでは４つの文章１〜文章４）と、当該文章データＢｍの各文章についてその文章を構成する単語のうちの重要単語（語句）の出現順に相当する重要単語（番号）データＴｍと、前記文章データＢｍの各文章の読み上げ音声である音声データＲｍ（音声１〜音声４）とが対応付けられて構成される。
【００２８】
前記複数の文章データＢｍ（文章１〜文章４）は、前記画像データＧの事象を正しく説明する内容の文章（ここでは文章３（正解））と誤って説明する内容の文章（ここでは文章１，２，４（不正解））とが混在して記憶される。
【００２９】
また、前記重要単語（語句）は、前記文章を構成する単語（語句）のうちで、例えば、物，人，場所を表す単語（語句）のように、画像の事象を判断する上でキーとなるものである。
【００３０】
なお、前記学習問題の画像データＧを前記タッチパネル付き表示部１８により表示させる際には、図４（Ａ）に示すように、当該画像データＧの左下に、前記音声データＲｍ（音声１〜音声４）を聴いたユーザがその何れの音声に対応した文章データ（文章１〜文章４）が正解であるかをタッチ操作により選択して回答するための回答ボタン［１］〜［４］が合成される。
【００３１】
このように構成された学習支援システムの学習装置１０は、前記制御装置（ＣＰＵ）１１が前記端末制御プログラム１２ａ（前記システムプログラム、学習支援プログラムを含む）に記述された命令に従い回路各部の動作を制御し、ソフトウエアとハードウエアとが協働して動作することにより、後述の動作説明で述べる機能を実現する。
【００３２】
また、前記学習支援システムの学習サーバ２０も同様に、当該学習サーバ２０に備えられた制御装置（ＣＰＵ）がそのサーバ制御プログラムに記述された命令に従い回路各部の動作を制御し、ソフトウエアとハードウエアとが協働して動作することにより、後述の動作説明で述べる機能を実現する。
【００３３】
次に、前記構成の学習支援システムの動作について説明する。
【００３４】
図５は、前記学習支援システムの学習端末１０による制御処理と学習サーバ２０による制御処理とを示すフローチャートである。
【００３５】
図６は、前記学習サーバ２０の学習問題データベース２０ＤＢに記憶されている各種の学習問題からユーザの学力レベルに応じた学習問題を選択的に生成するための具体例を示す図である。
【００３６】
先ず、学習端末１０により学習サーバ２０の学習サイトにアクセスし、前記学習支援プログラムをダウンロードしてインストールする。
【００３７】
前記学習端末１０において、キー操作部１７あるいはタッチパネル付き表示部１８のユーザ操作に応じて前記学習支援プログラムが起動されると、ユーザが目標とする語学検定試験の点数を設定するための目標点数設定要求がタッチパネル式表示部１８に表示される。
【００３８】
前記目標点数設定要求に応じて、ユーザの目標点数（ここでは、８００点）が入力されて設定されると（ステップＳ１）、当該ユーザが学習したい項目、例えばユーザ自身が弱いと感じている品詞等の項目をユーザにより入力させるための希望項目入力要求がタッチパネル付き表示部１８に表示される。
【００３９】
前記希望項目入力要求に応じて、ユーザの希望の項目（ここでは、関係代名詞）が入力されると（ステップＳ２）、ユーザの現在の語学力レベルをチェックするためのレベルチェックテストが実行される（ステップＳ３）。
【００４０】
前記レベルチェックテストは、例えば、予め設定された簡単で短い文章から難解で長い文章まで、当該各文章の音声を番号付きで順番に再生し、ユーザに対し、何番目の文章まで聞き取れたかを当該番号の入力により回答させる。
【００４１】
すると、前記設定された語学検定試験の目標点数（８００点）と前記入力された学習希望項目（関係代名詞）と前記レベルチェックテストの実行結果が前記学習サーバ２０の学習サイトへ送信される（ステップＳ４）。
【００４２】
前記学習サーバ２０において、前記学習端末１０から送信された目標点数（８００点）と学習希望項目（関係代名詞）とレベルチェックテストの実行結果が受信されると（ステップＡ１）、当該テストの実行結果に応じて、前記語学検定試験の予想点数（ここでは、予想点数６００点）とユーザの弱点箇所（ここでは、代名詞）が判定される（ステップＡ２）。
【００４３】
すると、前記ユーザの目標点数（８００点）と予想点数（６００点）と学習希望項目（関係代名詞）と弱点箇所（代名詞）とに基づいて、図６に示すように、学習問題データベース２０ＤＢの中からユーザに合った学習問題が選択されて生成され（ステップＡ３）、当該生成された学習問題とその解説を含む学習データが前記学習端末１０へ送信される（ステップＡ４）。
【００４４】
前記図６で示した学習サーバ２０の学習問題データベース２０ＤＢには、例えば、文法重点学習用データベースＤＢ１と単語重点学習用データベースＤＢ２が用意され、各データベースＤＢ１，ＤＢ２には、品詞等の学習項目毎に適切に区分された学習問題が、前記語学検定試験の７段階の得点レベルに応じた学習問題として記憶されている。
【００４５】
これにより、前記ユーザの目標点数（８００点）と予想点数（６００点）と学習希望項目（関係代名詞）と弱点箇所（代名詞）とに基づいて、前記文法重点学習用データベースＤＢ１からは、学習問題ＭＤ１，ＭＤ２，ＭＤ３が選択され、前記単語重点学習用データベースＤＢ２からは、学習問題ＭＥ１，ＭＥ２，…が選択される。
【００４６】
前記学習端末１０において、前記学習サーバ２０から送信された学習データ（学習問題とその解説）が受信されると、当該取得された学習データは記憶装置１２の学習問題データエリア１２ｂに記憶される（ステップＳ５）。
【００４７】
図７は、前記学習端末１０の制御処理に伴う音声再生処理（ＳＰ）の一実施例を示すフローチャートである。
【００４８】
図８は、前記学習端末１０の制御処理に従った学習問題の画像表示動作に伴う音声再生動作の一実施例を示す図である。
【００４９】
前記学習サーバ２０により生成された学習データ（学習問題とその解説）が前記学習端末１０に受信されると、その取得した学習データは記憶装置１２の学習問題データエリア１２ｂに記憶される（ステップＳ５）。そしてユーザが学習開始を指示すると、図８に示すように、記憶装置１２の学習問題データエリア１２ｂから学習データが制御装置１１に読み出され（取得され）、当該学習問題の１問目の画像データＧがタッチパネル付き表示部１８に表示される（ステップＳ６）。
【００５０】
すると、前記学習問題の１問目の画像データＧに対応付けられた音声データＲｍ（音声１〜音声４）の再生回数ｎが判断され（ステップＳ７）、１回目（初回）であると判断されると（ステップＳ７（Ｙｅｓ））、前記画像データＧに対応付けられた文章データＢｍ（文章１〜文章４）の音声データＲｍ（音声１〜音声４）が、予め設定された標準の音量（音圧）レベルで順番に再生され音声出力部１９から出力される（ステップＳ８）。
【００５１】
ユーザは、前記表示中の画像データＧに表わされている事象を見て、前記音声データＲｍ（音声１〜音声４）として再生された文章データＢｍ（文章１〜文章４）の何れの文章が正しいかを、当該画像データＧ上に表示された回答ボタン［１］〜［４］を選択して回答する（ステップＳ１０）。
【００５２】
ここで、ユーザが、前記再生された音声データＲｍ（音声１〜音声４）を、その聞き取りが不十分であることなどによりもう一度聞きたい場合に、例えば前記表示中の画像データＧ上でのタッチ操作あるいはキー操作部１７のキー操作により当該もう一度聞きたい指示があったと判断される（ステップＳ９（Ｙｅｓ））。
【００５３】
すると、前記音声データＲｍ（音声１〜音声４）の再生回数ｎが２回目以降と判断され（ステップＳ７（Ｎｏ））、当該再生回数ｎに応じて前記音声データＲｍ（音声１〜音声４）［文章データＢｍ（文章１〜文章４）］に含まれる重要単語（語句）を強調して音声再生する処理が実行される（ステップＳＰ（図７参照））。
【００５４】
先ず、前記学習問題の文章データＢｍ（文章１〜文章４）のうち１つ目の文章１“There is a man … of the banner.”が読み出され（ステップＰ１）、当該文章１に対応付けられた重要単語（番号）データＴｍ（４，７，９，１２）が取得される（ステップＰ２）。
【００５５】
すると、前記重要単語（番号）データＴｍ（４，７，９，１２）に該当する前記文章１中の単語“man”“bike”“front”“banner”にそれぞれ対応した前記音声データ（音声１）中の音声部分が、例えば再生時間により算出され（ステップＰ３）、当該音声部分を強調して再生する倍率（前記標準音量に対する倍率）が、前記再生回数ｎに応じて次第に大きくなる倍率に決定される（ステップＰ４）。
【００５６】
例えば、前記再生回数ｎ＝２の場合は強調倍率１．２、ｎ＝３の場合は強調倍率１．４、ｎ＝４の場合は強調倍率１．６として決定される。
【００５７】
そして、図８に示すように、前記学習問題の１つ目の文章１“There is a man … of the banner.”に対応した音声データ（音声１）が、前記重要単語“man”“bike”“front”“banner”の音声部分を前記決定された強調倍率（１．２）の音量（音圧）レベルに強調して再生され、音声出力部１９から出力される（ステップＰ５）。
【００５８】
すると、前記学習問題の文章データＢｍ（文章１〜文章４）のうち次の文章（２つ目の文章２）“A chair is … of the table.”が読み出される（ステップＰ６（Ｙｅｓ）→Ｐ１）。そして、前記文章１の音声データ（音声１）と同様に、当該文章２に対応した音声データ（音声２）が、その重要単語（２，６，９）“chair”“left”“table”の音声部分を前記再生回数ｎに応じて決定された強調倍率の音量（音圧）レベルに強調して再生され、音声出力部１９から出力される（ステップＰ２〜Ｐ５）。
【００５９】
この後、次の文章３“The man … the banners.”の音声データ（音声３）についても、前記同様に、その重要単語（２，６，８，９）“man”“bike”“underneath”“banners”の音声部分を、前記再生回数ｎに応じて決定された強調倍率の音量（音圧）レベルに強調して再生され、さらに次の文章４“There is a book on the table.”の音声データ（音声４）についても、その重要単語（４，７）“book”“table”の音声部分を、前記決定された強調倍率の音量（音圧）レベルに強調して再生される（ステップＰ６（Ｙｅｓ）→Ｐ１〜Ｐ５）。
【００６０】
そして、前記学習問題の文章データＢｍ（文章１〜文章４）に対応する音声データ（音声１〜音声４）の２回目の再生が終了した後に（ステップＰ６（Ｎｏ））、ユーザ操作に応じて、さらにもう一度聞きたい指示があったと判断されると（ステップＳ９（Ｙｅｓ））、前記同様の音声再生処理（ステップＳＰ（Ｐ１〜Ｐ６））に従って、再生回数ｎ（＝３）に応じた強調倍率（１．４）が決定され、当該各音声データ（音声１〜音声４）が、その重要単語の音声部分をさらに強調した音量（音圧）レベルにして再生される。
【００６１】
これにより、ユーザは、前記学習問題の画像データＧに対応する文章データＢｍ（文章１〜文章４）の音声データＲｍ（音声１〜音声４）を、当該ユーザ操作に応じて繰り返し再生させる度に、各文章１〜４に含まれる重要単語（語句）の音声部分を次第に強調した音量（音圧）レベルの音声にして聞くことができる。
【００６２】
この後、前記表示中の画像Ｇの事象について、前記音声１〜音声４として再生された文章１〜文章４の何れの文章が正しいか、当該画像Ｇ上に表示された回答ボタン［１］〜［４］の選択により回答されると（ステップＳ１０（Ｙｅｓ））、当該回答が正解か否かが判断されその判断結果が前記タッチパネル式表示部１８に表示される（ステップＳ１１）。
【００６３】
続いて、前記学習問題データエリア１２ｂに記憶された学習問題として次の問題があるか否か判断され（ステップＳ１２）、次の問題（ここでは２問目）があると判断されると（ステップＳ１２（Ｙｅｓ））、当該２問目の画像Ｇがタッチパネル付き表示部１８に表示され（ステップＳ６）、前記１問目の場合と同様に、当該画像Ｇに対応付けられた各文章１〜４の音声１〜４が順番に再生される（ステップＳ７，Ｓ８）。
【００６４】
そして、前記同様に、ユーザ操作に応じて繰り返しの再生が指示される度に、当該再生回数ｎに応じて次第に大きくなる重要単語（語句）の強調倍率が決定され、前記各文章１〜４の音声１〜４が、それぞれその重要単語に対応する音声部分を前記決定された強調倍率により強調した音声として再生される（ステップＳ９（Ｙｅｓ）→Ｓ７（Ｎｏ）→ＳＰ（Ｐ１〜Ｐ６）。
【００６５】
したがって、前記構成の学習支援システムによれば、学習端末１０の学習問題データエリア１２ｂに対して、画像データＧと、当該画像Ｇに表わされている事象を説明する文章データＢｍ（文章１〜文章４）と、当該各文章１〜文章４に対応した音声データＲｍ（音声１〜音声４）と、前記各文章１〜文章４に含まれる重要単語の出現順に対応する重要単語（番号）データＴｍとを対応付けて記憶させる。そして、ユーザへの出題を、前記画像データＧを表示させ、前記各文章１〜文章４に対応する音声１〜音声４を順番に再生して行なう。ここで、前記各音声１〜音声４の繰り返しの再生がユーザにより指示された場合は、前記重要単語（番号）データＴｍで示される重要単語の音声部分を当該繰り返しの再生回数ｎに応じた強調倍率で強調して再生する。ユーザは、前記再生された各音声１〜音声４を聞いて前記各文章１〜文章４のうち前記画像Ｇの事象として正しい文章の番号を選択して回答する。
【００６６】
これにより、ユーザのリスニング能力が高くない場合でも、前記学習問題の画像Ｇの事象を文章１〜文章４のうち何れか正しい文章として捉える上でキーワードとなる重要単語の音声を、その聞き取り回数に応じてより聞き取り易いように再生させることができ、そのリスニング能力を早く効果的に向上させることができる。
【００６７】
（他の実施形態）
図９は、前記学習端末１０の制御処理における問題表示処理（ステップＳ６〜Ｓ１２）の他の実施形態を示すフローチャートである。
【００６８】
この他の実施形態の問題表示処理において、前記実施形態の問題表示処理と同様の処理ステップ（Ｓ６，Ｓ８〜Ｓ１２）については同じステップ符号を付してその詳細な説明を省略する。
【００６９】
すなわち、前記実施形態の問題表示処理（ステップＳ６〜Ｓ１２）では、文章データＢｍ（文章１〜文章４）に対応する音声データＲｍ（音声１〜音声４）の再生回数ｎに応じて、当該各文章１〜４に含まれる重要単語（語句）の音声部分を次第に強調して再生する構成とした。
【００７０】
これに対し、他の実施形態の問題表示処理では、図９に示すように、前記ユーザに対するレベルチェックテストの実行結果（ステップＳ３）が予め設定された学力レベルより高い場合は（ステップＳ７１（Ｙｅｓ））、前記各文章１〜４に対応する音声１〜４をそれぞれその再生回数ｎに関わらず標準の音量（音圧）レベルで順番に再生する（ステップＳ８，Ｓ９（Ｙｅｓ）→Ｓ７１（Ｙｅｓ））。
【００７１】
一方、前記ユーザに対するレベルチェックテストの実行結果（ステップＳ３）が予め設定された学力レベル以下の場合は（ステップＳ７１（Ｎｏ））、当該テスト実行結果のレベルが低いほど前記重要単語の音声部分の強調倍率が大きくなるように決定する。そして、前記各文章１〜４に対応する音声１〜４を、その重要単語の音声部分については前記決定された強調倍率の音量（音圧）レベルの音声に強調して再生する構成とする（ステップＳ７２）。
【００７２】
これにより、前記学習問題の画像Ｇの事象を文章１〜文章４のうち何れか正しい文章として捉える上でキーワードとなる重要単語の音声を、ユーザのリスニング能力が低いほど、より聞き取り易いように強調して再生させることができ、そのリスニング能力を早く効果的に向上させることができる。
【００７３】
前記各実施形態では、学習端末１０において、ユーザに出題する学習問題のデータは、当該ユーザに対するレベルチェックテストの実行結果に応じて、学習サーバ２０の学習問題データベース２０ＤＢから選択的に取得する構成とした。これに対し、前記学習端末１０に前記学習サーバ２０から学習支援プログラムをダウンロードしてインストールする際に、前記学習問題データベース２０ＤＢもダウンロードし、前記同様にユーザの学力レベルに応じた学習問題を取得する構成としてもよい。
【００７４】
また、前記各実施形態では、学習問題として画像Ｇと当該画像Ｇの事象を表す正解／不正解が混在する複数の文章１〜４と当該各文章１〜４に対応する音声１〜４とを取得し、当該音声１〜４を順番に再生することで、何れか正解の文章をユーザに選択させて回答させる構成としたが、前記画像Ｇの事象を表す正解又は不正解の１つの文章とその音声とを取得し、当該音声を再生してその文章が正解か否かを回答させる構成としてもよい。
【００７５】
なお、前記各実施形態において記載した学習支援システムによる各処理の手法およびデータベース（ＤＢ）、すなわち、図５のフローチャートに示す学習端末１０の制御処理と学習サーバ２０の制御処理、図７のフローチャートに示す前記学習端末１０の制御処理に伴う音声再生処理、図９のフローチャートに示す前記学習端末１０の制御処理に伴う他の実施形態の問題表示処理等の各手法、および学習問題データベース２０ＤＢ等のデータベースは、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に格納して配布することができる。そして、電子機器のコンピュータ（制御装置）は、この外部記録装置の媒体に記憶されたプログラムを記憶装置に読み込み、この読み込んだプログラムによって動作が制御されることにより、前記各実施形態において説明した学習支援機能を実現し、前述した手法による同様の処理を実行することができる。
【００７６】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを電子機器に取り込んで記憶装置に記憶させ、前述した学習支援機能を実現することもできる。
【００７７】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７８】
以下に、本願出願の当初の特許請求の範囲に記載された発明を付記する。
【００７９】
［１］
画像データと、当該画像データにより表示される画像に表わされている事象を文章で説明する文章データと、前記文章に含まれる重要語句を示すデータとを取得するデータ取得手段と、
前記データ取得手段により取得された画像データに基づく画像を表示する画像表示手段と、
前記データ取得手段により取得された文章データに対応する音声データを、前記重要語句を示すデータに基づいて当該重要語句部分は強調して再生する音声再生手段と、
を備えたことを特徴とする学習支援装置。
【００８０】
［２］
前記データ取得手段は、前記文章データとして、前記画像に表わされている事象を正しく説明する文章データと誤って説明する文章データとを混在して複数取得する、
ことを特徴とする［１］に記載の学習支援装置。
【００８１】
［３］
前記音声再生手段は、前記データ取得手段により取得された文章データに対応する音声データを繰り返し再生する繰り返し再生手段を有し、当該繰り返し再生手段による繰り返しの再生回数に応じて次第に大きく定められる強調度合いで前記重要語句部分を強調して再生する、
ことを特徴とする［１］または［２］に記載の学習支援装置。
【００８２】
［４］
前記音声再生手段は、前記データ取得手段により取得された文章データに対応する音声データを、前記重要語句を示すデータに基づいて当該重要語句部分は強調して再生する際に、ユーザの学力レベルが低いほど次第に大きく定められる強調度合いで前記重要語句部分を強調して再生する、
ことを特徴とする［１］または［２］に記載の学習支援装置。
【００８３】
［５］
電子機器のコンピュータを、
画像データと、当該画像データにより表示される画像に表わされている事象を文章で説明する文章データと、当該文章に含まれる重要語句を示すデータとを取得するデータ取得手段と、
前記データ取得手段により取得された画像データに基づいて画像を表示する画像表示手段と、
前記データ取得手段により取得された文章データに対応する音声データを、前記重要語句を示すデータに基づいて当該重要語句部分は強調して再生する音声再生手段、
として機能させるためのコンピュータ読み込み可能なプログラム。
【符号の説明】
【００８４】
１０  …学習端末
１１  …制御装置（ＣＰＵ）
１２  …記憶装置
１２ａ…端末制御プログラム
１２ｂ…学習問題データエリア
１３  …外部記録媒体
１４  …記録媒体読み取り部
１５  …通信部
１６ａ…表示データエリア
１８  …タッチパネル付き表示部
２０  …学習サーバ（Ｗｅｂサーバ）
２０ＤＢ…学習問題データベース
Ｎ  …通信ネットワーク
【図１】
0006620437.tif 000002
【図２】
0006620437.tif 000003
【図３】
0006620437.tif 000004
【図４】
0006620437.tif 000005
【図５】
0006620437.tif 000006
【図６】
0006620437.tif 000007
【図７】
0006620437.tif 000008
【図８】
0006620437.tif 000009
【図９】
0006620437.tif 000010